(57)【要約】【課題】修理後のピストンをシリンダに挿入する際に、ピストンリングがシリンダの上端開口縁に引掛かり、ピストンから外れてしまうのを防止できるようにする。【解決手段】本体２を、半円形状をなす２個の単位本体２ａ，２ｂで構成する。両単位本体２ａ，２ｂの一端側を、ヒンジ３を介して開閉可能に連結する。両単位本体２ａ，２ｂの他端側に、ハンドル４ａ，４ｂをそれぞれ設ける。本体２の内径を、最も縮径させた状態において、ピストン５の外径よりも稍大きな寸法となるよう、予め設定しておく。ピストン５をシリンダに挿入する際に、本体２をピスリングの外周部に装着して、両ハンドル４ａ，４ｂを強く握り締める。これにより、ピストンリングの外径がピストン５の外径とほぼ等しい外径まで絞り込まれる。【選択図】図２
2005307811.tif 000002
【特許請求の範囲】
【請求項１】
修理後のピストンを、シリンダ内にその上端開口部から挿入する際に使用するピストン挿入補助装置であって、円弧状をなす複数の単位本体で構成され、全体を合わせることにより短円筒状をなしてピストンリングの外周側に配される本体と；この本体を把持する把持手段と；前記各単位本体を接近させてピストンリングを締付けた際に、本体を縮径状態で保持するための締付け保持手段と；を具備することを特徴とするピストン挿入補助装置。
【請求項２】
本体は、その上面に、ピストンヘッドに設けられている位置合わせマークに符合する位置決めマークを有しているとともに、外周部に、シリンダにシリンダヘッドを位置決め装着する際のノックピンが挿入される位置決め部材を有していることを特徴とする請求項１記載のピストン挿入補助装置。
【請求項３】
本体は、一端側がヒンジを介し開閉可能に連結された２個の単位本体で構成され、かつ各単位本体は、他端側に、把持手段と締付け保持手段とを兼ねるハンドルをそれぞれ有していることを特徴とする請求項１または２記載のピストン挿入補助装置。
【請求項４】
両ハンドル間には、両単位本体を接近させる方向に付勢する付勢手段が設けられていることを特徴とする請求項３記載のピストン挿入補助装置。
【請求項５】
一方のハンドルは、両単位本体を接近させた際に他方のハンドルに係止される係止部材を有していることを特徴とする請求項３記載のピストン挿入補助装置。
【請求項６】
本体は、分離可能な２個の単位本体で構成され、かつ両単位本体間には、両単位本体を接近させた際に両単位本体を一体に連結して締付け保持手段を構成する連結機構が設けられていることを特徴とする請求項１または２記載のピストン挿入補助装置。
【発明の詳細な説明】
【技術分野】
【０００１】
本発明は、修理後のピストンを、シリンダ内にその上端開口部から挿入する際に使用するピストン挿入補助装置に係り、特にピストンリングがシリンダの上端開口縁に引掛かってピストンから外れてしまうといった不具合が全くないピストン挿入補助装置に関する。
【背景技術】
【０００２】
従来から、修理後のピストンを、シリンダ内にその上端開口部から挿入する際に、ピストンリングの外周側に装着してピストンリングを締付け、ピストンヘッドを下方に押圧してシリンダ内に挿入する際に、ピストンリングがシリンダの上端開口縁に引掛かってピストンから外れてしまうのを防止するようにしたピストン挿入補助装置は一般に知られている。
【非特許文献１】ＥＳＣＤ便利カタログＮｏ．３１ａ  株式会社エスコ  ２０００年発行
【発明の開示】
【発明が解決しようとする課題】
【０００３】
ところで、前記従来のピストン挿入補助装置は、薄い金属シートで形成された巻き筒状の本体と、この本体を締付けて本体の内径を調節する締付け手段とで構成されているため、ピストンの径が変わっても、単一の装置で対応できると云う利点を有しているが、反面、本体の内径を締付け手段で調節する構造になっているため、締付け手段による締付け程度が不足して、ピストンリングがシリンダの上端開口縁に引掛かり、ピストンヘッドをシリンダ内に挿入した際に、ピストンリングがピストンから外れてしまったり、逆に締付け手段による締付け程度が過大となり、薄い金属シートで形成された本体が、ピストンとともにシリンダ内に入り込み、本体をピストンから取外すことができなくなるといった不具合があり、作業性が極めて悪いと云う問題がある。
【０００４】
ところで、従来のピストン挿入補助装置は、あらゆる径のピストンすべてに対応できるように、本体を巻き筒状に形成しているが、特定の径のピストンに適用できればよいと考えるならば、本体を巻き筒状に形成する必要はなく、本体を巻き筒状に形成しなくてよいのであれば、従来の問題点はすべて解消できるものも予想される。
【０００５】
本発明は、かかる知見に基づいてなされたもので、修理後のピストンを、シリンダ内にその上端開口部から挿入する際に、ピストンリングがピストンから外れてしまったり、あるいは本体がピストンとともにシリンダ内に入り込んで、本体をピストンから取外すことができなくなると云った不具合が全くなく、作業性を大幅に向上させることができるピストン挿入補助装置を提供することを目的とする。
【０００６】
本発明の他の目的は、シリンダ内にピストンとクランクシャフトとの位置決めを正確に行なうことができ、シリンダ内に挿入したピストンを、挿入後に軸廻りに回転させて位置合わせを行なう必要が全くないピストン挿入補助装置を提供するにある。
【０００７】
本発明の他の目的は、構造が簡単でコストダウンを図ることができ、また取扱いも容易なピストン挿入補助装置を提供するにある。
【０００８】
本発明の他の目的は、両ハンドルを軽い力で把持するだけで、ピストンリングを締付けることができ、作業性をより向上させることができるピストン挿入補助装置を提供するにある。
【０００９】
本発明の他の目的は、係止部材を他方のハンドルに係止した後は、両ハンドルから手を離して作業を行なうことができるピストン挿入補助装置を提供するにある。
【００１０】
本発明のさらに他の目的は、両単位本体を完全に分離できる構造にした場合であっても、開閉構造の本体と同様の作業性を得ることができるピストン挿入補助装置を提供するにある。
【課題を解決するための手段】
【００１１】
前記目的を達成するため本発明は、修理後のピストンを、シリンダ内にその上端開口部から挿入する際に使用するピストン挿入補助装置であって、円弧状をなす複数の単位本体で構成され、全体を合わせることにより短円筒状をなしてピストンリングの外周側に配される本体と；この本体を把持する把持手段と；前記各単位本体を接近させてピストンリングを締付けた際に、本体を縮径状態で保持するための締付け保持手段と；を設けるようにしたことを特徴とする。
【００１２】
本発明はまた、本体の上面に、ピストンヘッドに設けられている位置合わせマークに符合する位置決めマークを設けるとともに、外周部に、シリンダにシリンダヘッドを位置決め装着する際のノックピンが挿入される位置決め部材を設けるようにしたことを特徴とする。
【００１３】
本発明はまた、本体を、一端側がヒンジを介し開閉可能に連結された２個の単位本体で構成し、かつ各単位本体の他端側に、把持手段と締付け保持手段とを兼ねるハンドルをそれぞれ設けるようにしたことを特徴とする。
【００１４】
本発明はまた、両ハンドル間に、両単位本体を接近させる方向に付勢する付勢手段を設けるようにしたことを特徴とする。
【００１５】
本発明はまた、一方のハンドルに、両単位本体を接近させた際に他方のハンドルに係止される係止部材を設けるようにしたことを特徴とする。
【００１６】
本発明はさらに、本体を、分離可能な２個の単位本体で構成し、かつ両単位本体間に、両単位本体を接近させた際に両単位本体を一体に連結して締付け保持手段を構成する連結機構を設けるようにしたことを特徴とする。
【発明の効果】
【００１７】
本発明は、修理後のピストンを、シリンダ内にその上端開口部から挿入する際に使用するピストン挿入補助装置であって、円弧状をなす複数の単位本体で構成され、全体を合わせることにより短円筒状をなしてピストンリングの外周側に配される本体と；この本体を把持する把持手段と；前記各単位本体を接近させてピストンリングを締付けた際に、本体を縮径状態で保持するための締付け保持手段と；を設けるようにしているので、修理後のピストンを、シリンダ内にその上端開口部から挿入する際に、ピストンリングがピストンから外れてしまったり、あるいは本体がピストンとともにシリンダ内に入り込んで、本体をピストンから取外すことができなくなるといった不具合が全くなく、作業性を大幅に向上させることができる。
【００１８】
本発明はまた、本体の上面に、ピストンヘッドに設けられている位置合わせマークに符合する位置決めマークを設けるとともに、外周部に、シリンダにシリンダヘッドを位置決め装着する際のノックピンが挿入される位置決め部材を設けるようにしているので、シリンダ内に挿入したピストンとクランクシャフトとの位置決めを正確に行なうことができ、シリンダ内に挿入したピストンを、挿入後に軸廻りに回転させて位置合わせを行なう必要がない。
【００１９】
本発明はまた、本体を、一端側がヒンジを介し開閉可能に連結された２個の単位本体で構成し、かつ各単位本体の他端側に、把持手段と締付け保持手段とを兼ねるハンドルをそれぞれ設けるようにしているので、構造を簡素化してコストダウンを図ることができるとともに、取扱いが容易なものとすることができる。
【００２０】
本発明はまた、両ハンドル間に、両単位本体を接近させる方向に付勢する付勢手段を設けるようにしているので、両ハンドルを軽い力で把持するだけで、ピストンリングを締付けることができ、作業性をより向上させることができる。
【００２１】
本発明はまた、一方のハンドルに、両単位本体を接近させた際に他方のハンドルに係止される係止部材を設けるようにしているので、係止部材を他方のハンドルに係止した後は、両ハンドルから手を離して作業を行なうことができる。
【００２２】
本発明はさらに、本体を、分離可能な２個の単位本体で構成し、かつ両単位本体間に、両単位本体を接近させた際に両単位本体を一体に連結して締付け保持手段を構成する連結機構を設けるようにしているので、両単位本体を完全に分離できる構造にした場合であっても、開閉構造の本体と同様の作業性を得ることができる。また、両単位本体が完全に分離できる構造となっているので、各単位本体内周面のメンテナンスが容易となる。
【発明を実施するための最良の形態】
【００２３】
以下、本発明を図面を参照して説明する。
図１ないし図３は、本発明の第１の実施の形態に係るピストン挿入補助装置を示すもので、このピストン挿入補助装置１は、一端側がヒンジ３を介し開閉可能に連結された半円形状をなす２個の単位本体２ａ，２ｂで構成される本体２を備えており、これら各単位本体２ａ，２ｂの他端側には、ハンドル４ａ，４ｂがそれぞれ設けられている。そして、本体２の内径は、最も縮径した状態において、ピストン５の外径よりも稍大きな寸法となるように寸法設定されている。
【００２４】
前記本体２は、修理後のピストン５を、図示しないシリンダ内にその上端開口部から挿入する際に、図１に示すように、ピストンリング６の外周部に装着されるようになっているとともに、この状態で前記両ハンドル４ａ，４ｂを同時に把持することにより、ピストンリング６を締付けて縮径させることができるようになっており、これにより、ピストンリング６がシリンダの上端開口縁に引掛かって、ピストン５から外れてしまうと云った不具合を防止できるようになっている。すなわち、両ハンドル４ａ，４ｂは、本体２を把持する把持手段と、各単位本体２ａ，２ｂを接近させてピストンリング６を締付けた際に、本体２を縮径状態で保持するための締付け保持手段との両方の手段を兼ねている。
【００２５】
前記ピストン５のヘッド部分には、図２に例えば英文字「Ｆ」で示すように、位置合わせマーク７が予め設けられており、この位置合わせマーク７をフロント側に向けてピストン５をシリンダに挿入することにより、ピストン５とともに取出されたコネクティングロッド８（図１参照）の周方向位置を、図示しないクランクシャフトの位置に合致させることができるようになっている。
【００２６】
図４（ａ）〜（ｄ）は、修理後のピストン５を、シリンダ９内にその上端開口部から挿入する際の手順を順次示すものであり、以下、この図４を参照して本実施の形態の作用を説明する。
【００２７】
修理後のピストン５をシリンダ９内に挿入する場合には、図４（ａ）に示すように、コネクティングロッド８側から、ピストン５をシリンダ９内に挿入し、図４（ｂ）に示すように、ピストンリング６がシリンダ９の上端開口縁直上にくるようにする。
【００２８】
次いで、図４（ｃ）に示すように、ピストンリング６の外周部に、本体２を装着し、両ハンドル４ａ，４ｂを強く握り締める。これにより、ピストン５の外径から外側に突出していたピストンリング６が、ピストン５の外径とほぼ同一の寸法まで縮径する。
【００２９】
そこで、ピストン５の位置合わせマーク７が正確にフロント側に向くように、両ハンドル４ａ，４ｂを把持して本体２を軸廻りに回転させた後、図４（ｄ）に示すように、ピストン５のヘッド部分を、プラスチックハンマー１０等を用いて軽く叩く。これにより、ピストン５はスムースにシリンダ９内に挿入される。
【００３０】
しかして、両ハンドル４ａ，４ｂを強く握り締めると云う簡単な操作でピストンリング６を縮径させることができるので、作業性を大幅に向上させることができる。また、本体２の内径は、最も縮径した状態において、ピストン５の外径よりも稍大きな寸法となるよう、予め寸法設定されているので、従来のピストン挿入保持装置の場合と異なり、本体を締付け過ぎてしまったり、逆に締付け不足が生じると云った不具合が全くなく、作業に熟練を要しない。
【００３１】
なお、前記実施の形態においては、図４（ｃ）に示す段階で、ピストンリング６の外周部に本体２を装着する場合を説明したが、図４（ａ）に示す作業当初の段階から、ピストンリングの外周部に本体２を装着してもよい。
【００３２】
図５は、本発明の第２の実施の形態を示すもので、前記第１の実施の形態における両ハンドル４ａ，４ｂ間に、両単位本体２ａ，２ｂを接近させる方向に付勢するばね１１を設けるようにしたものである。
なお、その他の点については、前記第１の実施の形態と同一構成となっており、作用も同一である。
【００３３】
しかして、両ハンドル４ａ，４ｂ間にばね１１が設けられているので、本体２をピストンリング６の外周部に装着した後、両ハンドル４ａ，４ｂから手を離しても、本体２がピストン５から離脱することがなく、作業性をより向上させることができるとともに、本体２を縮径させる際に、両ハンドル４ａ，４ｂを軽く握るだけでよい。
【００３４】
図６は、本発明の第３の実施の形態を示すもので、前記第１の実施の形態における一方のハンドル４ｂに、上下に揺動可能に係止フック２１を設け、両単位本体２ａ，２ｂを最も接近させた状態において、係止フック２１を他方のハンドル４ａに係止できるようにしたものである。
なお、その他の点については、前記第１の実施の形態と同一構成となっており、作用も同一である。
【００３５】
しかして、一方のハンドル４ｂに係止フック２１を設けるようにしているので、この係止フック２１を他方のハンドル４ａに係止した後は、本体２は最も縮径した状態で固定されることになる。このため、両ハンドル４ａ，４ｂから完全に手を離しても、本体２がピストン５から離脱することがなく、またこの状態で本体２に多少の外力が加わっても、本体２がピストン５から離脱するおそれもない。
【００３６】
図７および図８は、本発明の第４の実施の形態を示すもので、前記第１の実施の形態における単位本体２ｂの上端面に、ピストン５の位置合わせマーク７に本体２の周方向位置を合わせるための位置決めマーク３１を設けるとともに、単位本体２ｂの外周部に、シリンダ９に図示しないシリンダヘッドを位置決め装着する際のノックピン３２が挿入される位置決め部材３３を設けるようにしたものである。
なお、その他の点については、前記第１の実施の形態と同一構成となっており、作用も同一である。
【００３７】
しかして、シリンダ９の上端面には、シリンダにシリンダヘッドを装着する際の位置決め用として、予め定められた位置にノックピン３２が設けられているのが通例である。したがって、このノックピン３２の位置に合わせて位置決め部材３３を設けておけば、両マーク７，３１の位置を合わせた状態で、ピストンリング６の外周部に本体２を装着するとともに、この状態で位置決め部材３３にノックピン３２を挿入するだけで、ピストン５の周方向位置を、極めて正確にかつ簡単に位置決めすることができる。
【００３８】
図９および図１０は、本発明の第５の実施の形態を示すもので、前記第１の実施の形態における本体２に代え、本体４２を用いるようにしたものである。
【００３９】
すなわち、前記本体４２は、図９に示すように、半円形状をなす完全分離型の２個の単位本体４２ａ，４２ｂで構成されており、一方の単位本体４２ａの突合わせ端面には、位置決め穴４３が設けられているとともに、他方の単位本体４２ｂの突合わせ端面には、両単位本体４２ａ，４２ｂを突合わせた際に位置決め穴４３に挿入される位置決めピン４４が設けられている。
【００４０】
また、前記両単位本体４２ａ，４２ｂの両端部には、図９および図１０に示すように、ハンドル４４ａ，４４ｂ，４５ａ，４５ｂがそれぞれ設けられており、一方の単位本体４２ｂの各ハンドル４４ｂ，４５ｂには、係止フック４６，４７が上下に揺動可能にそれぞれ設けられ、これら両係止フック４６，４７は、両単位本体４２ａ，４２ｂを突合わせた際に、他方の単位本体４２ａの各ハンドル４４ａ，４５ａにそれぞれ係止できるようになっている。そしてこれにより、完全に一体化された本体４２が得られるようになっている。
なお、その他の点については、前記第１の実施の形態と同一構成となっており、作用も同一である。
【００４１】
しかして、完全分離型の２個の単位本体４２ａ，４２ｂで本体４２を構成した場合であっても、開閉構造の前記各実施の形態の本体２と同様の効果を得ることができる。
【００４２】
なお、前記各実施の形態においては、本体２，４２が２分割構造をなす場合を例に採って説明したが、３分割以上の分割構造であっても、同様の効果を得ることができる。
【産業上の利用可能性】
【００４３】
以上のように、本発明に係るピストン挿入補助装置は、修理後のピストンを、シリンダ内に挿入する際に使用する装置として有用であり、特にピストンリングがシリンダの上端開口縁に引掛かってピストンから外れてしまうのを防止するための装置として適している。
【図面の簡単な説明】
【００４４】
【図１】本発明の第１の実施の形態に係るピストン挿入補助装置を示す断面図である。
【図２】図１の平面図である。
【図３】図１の左側面図である。
【図４】（ａ）〜（ｄ）は、ピストンをシリンダに挿入する際の方法を手順に従って順次示す説明図である。
【図５】本発明の第２の実施の形態を示す図２相当図である。
【図６】本発明の第３の実施の形態を示す図２相当図である。
【図７】本発明の第４の実施の形態を示す図２相当図である。
【図８】図７の底面図である。
【図９】本発明の第５の実施の形態を示す図２相当図である。
【図１０】図９の両単位本体を突合わせて一体化した状態を示す説明図である。
【符号の説明】
【００４５】
１  ピストン挿入補助装置
２，４２  本体
２ａ，２ｂ，４２ａ，４２ｂ  単位本体
３  ヒンジ
４ａ，４ｂ，４４ａ，４４ｂ，４５ａ，４５ｂ  ハンドル
５  ピストン
６  ピストンリング
７  位置合わせマーク
８  コネクティングロッド
９  シリンダ
１０  プラスチックハンマー
１１  ばね
２１，４６，４７  係止フック
３１  位置決めマーク
３２  ノックピン
３３  位置決め部材
４３  位置決め穴
４４  位置決めピン
【図１】
2005307811.tif 000003
【図２】
2005307811.tif 000004
【図３】
2005307811.tif 000005
【図４】
2005307811.tif 000006
【図５】
2005307811.tif 000007
【図６】
2005307811.tif 000008
【図７】
2005307811.tif 000009
【図８】
2005307811.tif 000010
【図９】
2005307811.tif 000011
【図１０】
2005307811.tif 000012